(57)【要約】【課題】ディスクメディアを適切に保護し得るとともに軽量化のし易さ等に優れたディスクジャケットを提供する。【解決手段】メディアディスクを収容するディスクジャケットであって、底部と、前記底部上に設けた第１板状部と、を有し、第１板状部は、孔または窪みである収容スペースを設けた段ボール又は中芯であり、前記底部上の前記収容スペース内に、前記メディアディスクが収容されるディスクジャケットとする。【選択図】図１
2018034846.tif 000002
【特許請求の範囲】
【請求項１】
メディアディスクを収容するディスクジャケットであって、
底部と、
前記底部上に設けた第１板状部と、を有し、
第１板状部は、孔または窪みである収容スペースを設けた段ボール又は中芯であり、
前記底部上の前記収容スペース内に、前記メディアディスクが収容されることを特徴とするディスクジャケット。
【請求項２】
第１板状部は片面段ボールであり、
当該片面段ボールのライナが、平面状である前記底部に接着固定されていることを特徴とする請求項１に記載のディスクジャケット。
【請求項３】
前記底部に連接した蓋部を有し、折り曲げにより前記蓋部が第１板状部を覆う閉状態となる請求項２に記載のディスクジャケットであって、
前記閉状態において第１板状部と中芯同士が対向するように、片面段ボールである第２板状部を前記蓋部に設けたことを特徴とするディスクジャケット。
【請求項４】
第１板状部と第２板状部の中芯同士は、波形の波長および前記閉状態における波形方向が略一致することを特徴とする請求項３に記載のディスクジャケット。
【請求項５】
第２板状部には、前記閉状態において前記収容スペースと重なる孔が設けられたことを特徴とする請求項３または請求項４に記載のディスクジャケット。
【請求項６】
前記底部に連接した蓋部を有し、折り曲げにより前記蓋部が第１板状部を覆う閉状態となる請求項２に記載のディスクジャケットであって、
前記片面段ボールの中芯の波形方向は、前記折り曲げのラインの方向と直交することを特徴とするディスクジャケット。
【請求項７】
前記底部は厚紙を用いて形成され、
前記収容スペースは略円形の孔であって、直径がＬＰレコード盤と略同一であることを特徴とする請求項１から請求項６の何れかに記載のディスクジャケット。
【発明の詳細な説明】
【技術分野】
【０００１】
本発明は、レコード盤等のディスクメディアを収容するディスクジャケットに関する。
【背景技術】
【０００２】
従来、音楽や映像などの情報を記録したメディアとして、レコード盤（ＬＰレコード盤やＳＰレコード盤等）の他、ＣＤやＭＤなどの各種ディスクメディアが利用されている。これらのディスクメディアは、一般的に薄い円盤状に形成されており、破損したり情報記録面を傷つけたりしないよう取り扱いには注意を要する。
【０００３】
また上記のディスクメディアを収容可能としたディスクジャケットも利用されている。紙製のディスクジャケットは比較的安価に製造することができ、生産や廃棄に伴う環境負荷も比較的少ない。特許文献１には、袋部に収納されているディスクに悪影響を与えずに他方の袋部への移動侵入や脱落を防止するディスクジャケットが開示されている。
【先行技術文献】
【特許文献】
【０００４】
【特許文献１】特開平08-295384号公報
【発明の概要】
【発明が解決しようとする課題】
【０００５】
ディスクジャケットは、薄くて破損し易いディスクメディアを適切に保護し得るとともに、持ち運び等にも便利なように軽量であることが望まれる。またその他、ディスクジャケットは、製造コストやデザイン性等においても優れていることがより望ましい。
【０００６】
本発明は上述した問題点に鑑み、ディスクメディアを適切に保護し得るとともに軽量化等の点にも優れたディスクジャケットの提供を目的とする。
【課題を解決するための手段】
【０００７】
本発明に係るディスクジャケットは、メディアディスクを収容するディスクジャケットであって、底部と、前記底部上に設けた第１板状部と、を有し、第１板状部は、孔または窪みである収容スペースを設けた段ボール又は中芯であり、前記底部上の前記収容スペース内に、前記メディアディスクが収容される構成とする。本構成によれば、ディスクメディアを適切に保護し得るとともに軽量化等の点にも優れたディスクジャケットとすることが可能である。
【０００８】
また上記構成としてより具体的には、第１板状部は片面段ボールであり、当該片面段ボールのライナが、平面状である前記底部に接着固定されている構成としてもよい。本構成によれば、中芯の波形を利用してデザイン性等にも優れたディスクジャケットとすることが可能である。
【０００９】
また、前記底部に連接した蓋部を有し、折り曲げにより前記蓋部が第１板状部を覆う閉状態となる上記構成のディスクジャケットについて、前記閉状態において第１板状部と中芯同士が対向するように、片面段ボールである第２板状部を前記蓋部に設けた構成を採用してもよい。
【００１０】
また上記構成としてより具体的には、第１板状部と第２板状部の中芯同士は、波形の波長および前記閉状態における波形方向が略一致する構成としてもよい。本構成によれば、閉状態においてこれら中芯同士の波形が噛み合うことによる利点を享受することが可能となる。また上記構成としてより具体的には、第２板状部には、前記閉状態において前記収容スペースと重なる孔が設けられた構成としてもよい。
【００１１】
また、前記底部に連接した蓋部を有し、折り曲げにより前記蓋部が第１板状部を覆う閉状態となる上記構成のディスクジャケットについて、前記片面段ボールの中芯の波形方向は、前記折り曲げのラインの方向と直交する構成としてもよい。本構成によれば、当該ディスクジャケットを立てて置く場合に、内部のゴミ等を落下させることが可能となる。
【００１２】
更に上記構成としてより具体的には、前記底部は厚紙を用いて形成され、前記収容スペースは略円形の孔であって、直径がＬＰレコード盤と略同一である構成としてもよい。本構成によれば、ＬＰレコード盤を収容するレコードジャケットとして好適である。
【発明の効果】
【００１３】
本発明によれば、ディスクメディアを適切に保護し得るとともに軽量化等の点にも優れたディスクジャケットを提供することが可能である。
【図面の簡単な説明】
【００１４】
【図１】第１実施形態に係るレコードジャケットの開いた状態の外観図である。
【図２】開いた状態の当該レコードジャケットに関する模式的な構成図である。
【図３】当該レコードジャケットの蓋部の折り曲げに関する説明図である。
【図４】閉じた状態の当該レコードジャケットに関する模式的な構成図である。
【図５】第２実施形態に係るレコードジャケットの開いた状態の外観図である。
【図６】開いた状態の当該レコードジャケットに関する模式的な構成図である。
【図７】閉じた状態の当該レコードジャケットに関する模式的な構成図である。
【発明を実施するための形態】
【００１５】
本発明の実施形態について第１実施形態と第２実施形態を例に挙げ、図面を参照しながら以下に説明する。
【００１６】
１．第１実施形態
まず第１実施形態について説明する。図１は、第１実施形態に係るレコードジャケットＪ１（本発明に係るディスクジャケットの一形態）の開いた状態の外観図である。また図２は、折り曲げラインＸの近傍における前方縁部分の前方視による模式的な構成図である。なお以下の説明における上下、左右、および前後の各方向（互いに直交する方向）は、図１等に示すとおりである。
【００１７】
レコードジャケットＪ１は、厚みが一定である厚紙により構成された厚紙部１に板状部２（本発明に係る第１板状部の一形態）を接着固定して形成されており、不図示のＬＰレコード盤（本発明に係るディスクメディアの一形態）の収容に用いられる。厚紙部１は、底部１１、蓋部１２、および蓋止め部１３を有する。なお本実施形態の厚紙部１は厚紙をカバーするように薄紙が貼り付けられているが、厚紙部１の形態はこれに限られず、例えば単一の厚紙のみから形成されても良い。また厚紙部１に相当する部材は、厚紙以外の材料（例えば、段ボールや樹脂板等）により形成されても良い。
【００１８】
底部１１の外縁形状は、前後に伸びた対辺と左右に伸びた対辺を有する略正方形となっており、これらの対辺からなる四辺それぞれの長さは、ＬＰレコード盤の直径よりも数cm程度長くなっている。なお、底部１１は全体が平らであって孔は設けられておらず、両面とも平面状である。
【００１９】
底部１１の上面には、板状部２が積層するように配置されて接着固定されている。板状部２は、図２に示すように、１枚のライナ２１に波形状に成形した中芯（「中芯原紙」とも呼ばれる）２２を貼り合わせた片面段ボールであり、ライナ２１が底部１１に接着されている。ここでの片面段ボール、ライナ、および中芯は、日本工業規格（ＪＩＳ規格）に規定されたものである。ライナ２１と底部１１は何れも紙材質であるため、例えば紙用の接着剤を用いて双方を容易に接着することが可能である。
【００２０】
板状部２の外縁の形状および寸法は底部１１と同等であり、板状部２は、底部１１と外縁同士が上下に重なるように配置されている。但し板状部２の中央には、上方視円形の収容孔Ｈが設けられており、収容孔Ｈの直径は、ＬＰレコード盤の直径（約30cm）と同等或いはこれより僅かに大きく設定されている。つまり収容孔Ｈの直径は、ＬＰレコード盤と略同一である。
【００２１】
そのため収容孔Ｈ内には、図１に示すようにレコードジャケットＪ１を開いた状態にて、底部１１上に寝かすように（片面を底部１１へ対向させるように）ＬＰレコード盤を着脱自在に収容することが可能である。収容孔Ｈの直径はＬＰレコード盤の直径に合わせて設定されているため、ＬＰレコード盤の外周の縁全体が収容孔Ｈの側壁に支持され、収容孔Ｈ内におけるＬＰレコード盤の位置は安定する。なお本発明に係る収容孔は、ディスクメディアが収容可能であれば本実施形態のような形態には限定されず、板状部に完全には囲まれていない形態（例えば板状部の外側へ連通する切欠きや溝などがある形態）とされても良い。
【００２２】
また板状部２の厚み（ライナ２１の下端から中芯２２の上端までの上下方向距離）は、ＬＰレコード盤の厚みと同等或いはこれ以上に設定されており、ＬＰレコード盤の全体を収容孔Ｈ内へ収容することができる。板状部２の厚みの調節は、中芯２２の波形（フルート）の種類を変えることによっても可能である。
【００２３】
底部１１の左側の縁は、図１に破線で示す折り曲げラインＸ（前後に伸びたライン）を境にして、蓋部１２の右側の縁に連接している。蓋部１２の外縁形状および寸法は、底部１１の外縁形状および寸法と同等である。蓋部１２は全体が平らであって孔は設けられておらず、両面とも平面状である。更に蓋部１２の左側の縁には、蓋止め部１３が連接している。蓋止め部１３は右方へ折り返されており、蓋部１２の上側へ位置している。
【００２４】
折り曲げラインＸには予め折り癖が付けられているため、図３に示すように、折り曲げラインＸにおいて蓋部１２を容易に折り曲げ可能である。当該折り曲げにより蓋部１２を回転移動させると、レコードジャケットＪ１を閉じることができる。この閉じた状態（閉状態）における蓋部１２は、外縁同士が一致するように板状部２の上に重なり、収容穴Ｈを塞ぐように板状部２を覆っている。
【００２５】
閉じた状態のレコードジャケットＪ１について、前方縁部分の前方視による模式的な構成図を図４に示す。図４に示す状態では、中芯２２それぞれの上端が蓋部１２に接触ないし近接しており、ライナ２１と中芯２２の間における空洞Ｃ１に加え、中芯２２と蓋部１２の間における空洞Ｃ２が形成されている。
【００２６】
閉じた状態のレコードジャケットＪ１は、内部に収容されたＬＰレコード盤を適切に保持するとともに、外部衝撃から保護する役割をも果たし、ＬＰレコード盤の保管や持ち運びに便利である。なお閉じた状態において、蓋止め部１３の全体または一部を底部１１の下側（閉じたレコードジャケットＪ１の裏面側）に係合させると、蓋部１２が勝手に開かないようにし、ＬＰレコード盤の脱落をより確実に防ぐことが可能である。
【００２７】
以上に説明したとおり、レコードジャケットＪ１は、収容孔Ｈを設けた片面段ボールが板状部２として採用されており、底部１１上の収容孔Ｈ内にＬＰレコード盤が収容可能である。そのため段ボールの特性を活かし、従来品に比べ種々の点において優れたレコードジャケットが実現される。以下、この点についてより具体的に説明する。
【００２８】
まず段ボールは、波形の中芯によって側方視トラス構造（略三角形が連なった構造）が形成されており、強度および衝撃吸収性（クッション性）に優れている。そのため板状部２は、ＬＰレコード盤を外部衝撃から効果的に保護することができる。なお板状部２は、ＬＰレコード盤を前後左右の衝撃から十分に保護し得るだけでなく、底部１１或いは蓋部１２がＬＰレコード盤側へ押圧された際にもＬＰレコード盤を効果的に保護する。すなわち、底部１１或いは蓋部１２がＬＰレコード盤側へ押圧されたり衝撃を受けたりしても、段ボールである板状部２は潰され難く、更に段ボールのクッション性により衝撃も吸収され、ＬＰレコード盤の破損等は極力回避される。
【００２９】
また段ボールは、上記トラス構造により内部が相当に空洞化されており、強度および衝撃吸収性に優れながらも、同じ厚みの厚紙等に比べると非常に軽いという特徴を有する。そのためレコードジャケットＪ１は軽量化が容易であり、流通時の搬送コスト低減やユーザによる持ち運びのし易さ等において有利である。
【００３０】
更に、図４に示す各空洞（Ｃ１、Ｃ２）は前後方向に貫通しており、これらの空洞ごとに通気性が確保される。特に、収容孔Ｈと左右方向位置が重複する各空洞（Ｃ１、Ｃ２）は、収容孔ＨをレコードジャケットＪ１の外部へ連通させる。そのため、例えば水分や異物が付着したＬＰレコード盤を収容した場合にも、当該空洞を介した換気によって収容孔Ｈ内に湿気や異臭が篭ることを防ぎ、その分、ＬＰレコード盤の品質劣化を抑えることが可能である。なお、紙材質である段ボール自体も吸湿・脱臭の性能を有しており、これと上述した換気との相乗効果によって、ＬＰレコード盤の品質劣化をより効果的に抑えることが可能である。
【００３１】
また段ボールは、様々な梱包等に利用される非常に汎用性の高い素材であり、安価であって大量調達も容易であるとともに、紙材質のために切断加工等も容易である。そのためレコードジャケットＪ１は、段ボールを使用した分だけ製造コストの抑制が容易であり、更に量産化にも好適である。なお紙材質である段ボールは、プラスチック素材等に比べて生産や廃棄に伴う環境負荷が小さく、リサイクルが容易であるという特長も有しており、レコードジャケットＪ１は段ボールを使用した分だけその利点を享受し得る。
【００３２】
また本実施形態では板状部２として片面段ボールを採用し、ライナ２１を底部１１に向けて接着して、中芯２２を上側へ露出させている。そのため開いた状態（図１を参照）において、中芯２２の左右に連続する波形は、上方視点のユーザにとって立体的で美しいストライプ模様に見え、更に手触りも良好である。このようにレコードジャケットＪ１は、片面段ボールの特性を利用してデザイン性や手触りにも優れたものに仕上がっている。
【００３３】
また板状部２は、中芯２２の波形方向（山と谷が繰り返される方向）が折り曲げラインＸの方向（前後方向）と直交するように配置されている。そのため、閉じた状態のレコードジャケットＪ１を立てて置くと（折り曲げラインＸの方向が鉛直方向となるように置くと）、先述した各空洞（Ｃ１、Ｃ２）の伸びる方向も鉛直方向となる。これにより、収容孔Ｈや板状部２の表面に残っていた小さなゴミ等を、これらの空洞を介して自然に落下させることが可能である。なお、本実施形態のような見開き型のレコードジャケットを立てて置く場合は、本を立てて置く場合と同様に、折り曲げラインの方向が鉛直方向となるように置くのが通常である。
【００３４】
２．第２実施形態
次に第２実施形態について説明する。なお以下の説明では、第１実施形態と異なる部分の説明に重点をおき、共通する部分については説明を省略することがある。また第１実施形態の場合と同等の要素には、基本的に同じ符号を付することとする。
【００３５】
図５は、第２実施形態に係るレコードジャケットＪ２（本発明に係るディスクジャケットの一形態）の開いた状態の外観図である。また図６は、折り曲げラインＸの近傍における前方縁部分の前方視による模式的な構成図である。
【００３６】
レコードジャケットＪ２は、底部１１に設けられた板状部２に加え、蓋部１２に設けられた蓋側板状部２ａ（本発明に係る第２板状部の一形態）をも有している。蓋側板状部２ａは、板状部２と同仕様の片面段ボール（ライナ２１ａと中芯２２ａを有する）を板状部２と同じ寸法・形状に加工した部材であり、ライナ２１ａが蓋部１２の上面に接着されている。ライナ２１ａと蓋部１２は何れも紙材質であるため、例えば紙用の接着剤を用いて双方を容易に接着することが可能である。
【００３７】
蓋側板状部２ａの外縁の形状および寸法は蓋部１２と同等であり、蓋側板状部２ａは、蓋部１２と外縁同士が上下に重なるように配置されている。蓋側板状部２ａの中央には、板状部２に設けた収容孔Ｈと同じ寸法・形状の蓋側孔Ｈａが設けられている。折り曲げラインＸにおいて蓋部１２を折り曲げてレコードジャケットＪ２を閉じると、中芯２２を露出した板状部２と中芯２２ａを露出した蓋側板状部２ａがほぼ完全に重なるとともに、収容孔Ｈと蓋側孔Ｈａもほぼ完全に重なる。
【００３８】
このように、レコードジャケットＪ２を閉じた状態において板状部２と中芯同士が対向するように、片面段ボールである蓋側板状部２ａが蓋部１２に設けられている。更に板状部２と蓋側板状部２ａの中芯同士（２２、２２ａ）は、波形の波長（隣合う山同士の間隔）が一致するとともに、当該閉じた状態における波形方向が左右方向で一致する。
【００３９】
閉じた状態のレコードジャケットＪ２について、前方縁部分の前方視による模式的な構成図を図７に示す。上述のとおり、中芯同士（２２、２２ａ）の波形の波長および波形方向が一致するため、本図に示すように、中芯同士（２２、２２ａ）の波形が噛み合うことになる。これにより、両方の中芯（２２、２２ａ）による二重のトラス構造により非常に高い強度と衝撃吸収性が得られるとともに、板状部２と蓋側板状部２ａにおける左右方向の位置ずれも生じ難く、安定した状態が得られる。また、このように中芯同士（２２、２２ａ）の波形を噛み合わせると、中芯同士（２２、２２ａ）の摩擦或いは係合等の作用によって蓋部１２が勝手には開き難くなり、簡易なロックの効果を得ることが可能である。
【００４０】
またレコードジャケットＪ２は、閉じた状態において収容孔Ｈと重なる蓋側孔Ｈａを有することにより、ＬＰレコード盤の収容スペースに余裕を持たせること、或いは、蓋側板状部２ａにも別のＬＰレコード盤を収容して複数枚のＬＰレコード盤を保持すること等が可能である。なお蓋側孔Ｈａは、ＬＰレコード盤以外のディスクメディアを収容するようにサイズが調整されていても良い。また蓋側板状部２ａには、小さめの蓋側孔Ｈａを複数個設けるようにしても良く、場合によっては蓋側孔Ｈａを全く設けないようにしても構わない。
【００４１】
３．総括
以上、本発明の各実施形態について説明したが、本発明の構成は上記実施形態に限られず、発明の主旨を逸脱しない範囲で種々の変更を加えることが可能である。例えば上述した板状部または蓋側板状部として、片面段ボール以外の段ボール（両面段ボール等）を採用することも可能である。この場合、基本的に中芯は上側へ露出しないが、段ボールを用いたことによる利点を得ることが可能である。なお、各実施形態において用いられる段ボールとしては、紙製の段ボールの代わりに、樹脂製の段ボール（プラダン）が採用されても良い。また段ボールの代わりに、中芯（ライナが無い状態のもの）が採用されても良い。
【００４２】
また、上記実施形態における底部１１（厚紙部１の一部）と板状部２の間に、例えば底部１１と同等のサイズで孔の無い両面段ボールを設けるようにしてもよい。このようにすれば、その分だけレコードジャケットの厚みは増すが、強度や衝撃吸収性をより一層向上させることができる。この場合、底部１１と当該両面段ボールを合わせた部分が、本発明に係る底部に相当する。また、ＬＰレコード盤が収容されるスペース（本発明に係る収容スペースに相当する）として、各実施形態では板状部２に設けた収容孔Ｈが採用されていたが、その代わりに、圧縮プレス等によって板状部２に設けた窪み（凹部）が採用されても良い。
【００４３】
なお蓋側孔Ｈａも同様に、圧縮プレス等によって蓋側板状部２ａに設けた窪み（凹部）としても良い。また蓋部１２には、このような孔や窪みの代わりに、収容孔Ｈ（窪みとした場合も含む）に嵌め込まれる出っ張りを設けるようにしても良い。一例としては、第２実施形態における蓋側板状部２ａを設ける代わりに、収容孔Ｈと同等或いはこれよりも小さい片面段ボール等を、レコードジャケットＪ２を閉じた際に収容孔Ｈに嵌め込まれる位置に設けるようにしても良い。このようにすれば、収容孔Ｈ内に収容されたＬＰレコード盤の脱落を上記出っ張りにより阻止し、当該脱落をより確実に防ぐことが可能となる。
【００４４】
また、上記実施形態ではディスクメディアとしてＬＰレコード盤を例に挙げたが、他種のレコード盤（ＳＰレコード盤など）、ＣＤ［Compact Disc］、ＤＶＤ［Digital Versatile Disc］、或いはＢＤ［Blu-ray Disc］（登録商標）などのディスクメディアについても、本発明を適用可能である。
【００４５】
なお本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００４６】
本発明は、ディスクメディアを収容するディスクジャケットに利用可能である。
【符号の説明】
【００４７】
１      厚紙部
１１    底部
１２    蓋部
１３    蓋止め部
２      板状部（第１板状部）
２１    ライナ
２２    中芯
２３    ライナ
２ａ    蓋側板状部（第２板状部）
２１ａ  ライナ
２２ａ  中芯
Ｃ１、Ｃ２    空洞
Ｈ      収容孔
Ｈａ    蓋側孔
Ｊ１、Ｊ２    レコードジャケット（ディスクジャケット）
Ｘ      折り曲げライン
【図１】
2018034846.tif 000003
【図２】
2018034846.tif 000004
【図３】
2018034846.tif 000005
【図４】
2018034846.tif 000006
【図５】
2018034846.tif 000007
【図６】
2018034846.tif 000008
【図７】
2018034846.tif 000009